(57)【特許請求の範囲】
【請求項１】
ハカマ部材と、このハカマ部材内に下端部が挿入固定され上部には軸心方向の切り割り溝が形成された筒状の合成樹脂材製の内筒部材と、この内筒部材の切り割り溝の外周を回動可能に覆い内筒部材上端部に形成されたフランジ部によって抜け出し防止に固定されさらに内部に螺旋溝が形成された合成樹脂材製の螺旋部材と、この螺旋部材の外周を覆う金属材製の外筒部材と、前記内筒部材内に上下移動可能に収納された合成樹脂材製の皿部材と、この皿部材に形成された前記内筒部材の切り割り溝及び前記螺旋部材の螺旋溝と係合する係合ピンとから構成される口紅等の収納容器において、螺旋部材の外面に軸心方向に形成された案内溝及びこの案内溝の下端部に形成された係止溝と、この案内溝を通過し係止溝と係止することによって螺旋部材と外筒部材を回動不能ではあるが着脱可能とする係止凸部を外筒部材内面に形成したことを特徴とする口紅等の収納容器。
【請求項２】
係止溝は案内溝の下端部に水平方向に形成されていることを特徴とする請求項１記載の口紅等の収納容器。
【発明の詳細な説明】
【０００１】
【発明が属する技術分野】
本発明は口紅、リップクリーム、スティックアイシャドー、スティックファンデーション等の棒状化粧品を収納する口紅等の収納容器に関するものである。
【０００２】
【従来の技術】
従来の口紅等の収納容器はハカマ部材と、このハカマ部材内に下端部が挿入固定され上部には軸心方向の切り割り溝が形成された筒状の合成樹脂材製の内筒部材と、この内筒部材の切り割り溝の外周を回動可能に覆い内筒部材上端部に形成されたフランジ部によって抜け出し防止に固定されさらに内部に螺旋溝が形成された合成樹脂材製の螺旋部材と、この螺旋部材の外周を覆う金属材製の外筒部材と、前記内筒部材内に上下移動可能に収納された合成樹脂材製の皿部材と、この皿部材に形成された前記内筒部材の切り割り溝及び前記螺旋部材の螺旋溝と係合する係合ピンとで構成されていた。
【０００３】
【発明が解決しようとする課題】
このように構成された従来の口紅等の収納容器は、圧入もしくは接着等により金属材製の外筒部材と合成樹脂材製の螺旋部材が回動不能及び抜脱不能に組み付けられてしまうため、皿部材に口紅を充填してしまうと口紅の交換は、口紅等の収納容器の組付け状態では皿部材や内筒部材の掃除が大変でコスト高となり、廃棄処分せざるを得ないという欠点があると共に、外筒部材と内筒部材を分解することが困難なため材質別に部品を分別することができず再利用することは難しく産業廃棄物となってしまうという欠点があった。
【０００４】
本発明は以上のような従来の欠点に鑑み、口紅等を充填した後にでも外筒部材を抜き取り、新しい口紅等を容易に充填し直すことができ、容易に材質別に部品を分別することができる口紅等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記課題を解決するため、本発明はハカマ部材と、このハカマ部材内に下端部が挿入固定され上部には軸心方向の切り割り溝が形成された筒状の合成樹脂材製の内筒部材と、この内筒部材の切り割り溝の外周を回動可能に覆い内筒部材上端部に形成されたフランジ部によって抜け出し防止に固定されさらに内部に螺旋溝が形成された合成樹脂材製の螺旋部材と、この螺旋部材の外周を覆う金属材製の外筒部材と、前記内筒部材内に上下移動可能に収納された合成樹脂材製の皿部材と、この皿部材に形成された前記内筒部材の切り割り溝及び前記螺旋部材の螺旋溝と係合する係合ピンとから構成される口紅等の収納容器において、螺旋部材の外面に軸心方向に形成された案内溝及びこの案内溝の下端部に形成された係止溝と、この案内溝を通過し係止溝と係止することによって螺旋部材と外筒部材を着脱可能とする係止凸部を内面に形成した外筒部材とで口紅等の収納容器を構成している。
【０００７】
【作用】
螺旋部材の外面に軸心方向に形成された案内溝及び該案内溝の下端部に係止溝が形成され、外筒部材内面には係止凸部が形成され、この係止凸部が螺旋部材の案内溝を通過して係止溝内にはまり込み螺旋部材と外筒部材を回動不能ではあるが着脱可能な係止状態にさせるが、螺旋部材の係止溝内へ外筒部材の係止凸部がはまり込み係止状態にさせている力よりも強い力で外筒部材を上方へ引っ張ると、螺旋部材の係止溝への外筒部材の係止凸部の係止状態が解除されることによって螺旋部材より外筒部材を引き抜くことができるように作用している。
【発明の実施の形態】
以下、図面に示す実施の形態により、本発明を詳細に説明する。
【０００８】
【実施例】
以下、図面に示す実施例により本発明を詳細に説明する。
図１ないし図４に示す発明の第１の実施例において、１は本発明の口紅等の収納容器で、この口紅等の収納容器１は上部外周にキャップ嵌合部２が形成されたハカマ部材３と、このハカマ部材３の内底部位に下部が回動不能及び抜脱不能に挿入固定され上部には上端部まで到達する軸心方向の切り割り溝５が形成されさらに上端部には螺旋部材６を抜け出し不能に固定するフランジ部１６が形成された合成樹脂材製の内筒部材４と、この内筒部材４の切り割り溝５の外周を回動可能に覆い内部に上端部まで到達する螺旋溝７が形成された合成樹脂材製の螺旋部材６と、この螺旋部材６の上端及び外周を回動不能ではあるが着脱可能に覆う金属材製の外筒部材８と、内部に口紅１２が充填され前記内筒部材４内に上下移動可能に収納された合成樹脂材製の皿部材９と、この皿部材９の外面に形成された前記内筒部材４の切り割り溝５及び前記螺旋部材６の螺旋溝７と係合する係合ピン１０と、前記外筒部材８の上方を覆う前記ハカマ部材３のキャップ嵌合部２に着脱可能に嵌合するキャップ１１とで構成されている。
【０００９】
前記螺旋部材６の外面には軸心方向に形成された案内溝１３及び該案内溝１３の下端部に係止溝１４が形成されている。
【００１０】
前記外筒部材８の内面には前記螺旋部材６の案内溝１３を通過して係止溝１４内にはまり込み前記螺旋部材６と前記外筒部材８を回動不能ではあるが着脱可能な係止状態にさせる係止凸部１５が形成されている。
【００１１】
上記構成の口紅等の収納容器１は、従来と同様にハカマ部材３と外筒部材８とを持って回動させることにより口紅１２を外筒部材３の上端部より出没させて使用することができるが、螺旋部材６の係止溝１４内に外筒部材８の係止凸部１５がはまりこみ螺旋部材６と外筒部材８を係止状態にされている力よりも強い力で外筒部材８を上方に引っ張ると、外筒部材８の係止凸部１５が螺旋部材６の係止溝１４より外れ係止状態が解除された状態になるることにより、合成樹脂材製の螺旋部材６より金属材製の外筒部材８を引き抜くことができる。
【００１２】
合成樹脂材製の螺旋部材６より金属材製の外筒部材８を引き抜いた後、前記螺旋部材６の内部に形成された螺旋溝７と前記内筒部材の上部に軸心方向に形成された切り割り溝５は上端部まで到達されているため、前記内筒部材４内に収納された前記皿部材９が最上位置にある状態で該皿部材９を上方に引っ張ることで前記内筒部材４内より該皿部材９を取り外すことができる。
【００１３】
【発明の異なる実施例】
次に本発明の異なる実施例につき説明する。なお、これらの説明にあたって前記発明の第１の実施例と同一構成部分には同一符号を付して重複する説明を省略する。
【００１４】
図５ないし図７に示す発明の第２の実施例において、前記発明の第１の実施例と主に異なる点は、螺旋部材６の外面に軸心方向に形成された案内溝１３の下端部に水平方向に係止溝１４を形成した螺旋部材６Ａとし、この螺旋部材６Ａを使用した口紅等の収納容器１Ａとした点である。
【００１５】
上記構成の口紅等の収納容器１Ａの内筒部材４内に収納された皿部材９が最下位置にある状態で、螺旋部材６Ａの係止溝１４内に外筒部材８の係止凸部１５がはまり込み螺旋部材６Ａと外筒部材８を係止状態にさせている力よりも強い力でハカマ部材３と外筒部材８を前記内筒部材４内に収納された皿部材９の繰り下げ方向に回動させることで、外筒部材８の係止凸部１５が螺旋部材６の係止溝１４より外れ係止状態が解除された状態になることにより、前記本発明の第１の実施の形態と同様な作用効果が得られる。
【００１６】
【発明の効果】
本発明は以上説明したように構成されているので、以下に記載されるような効果を奏する。
【００１７】
（１）ハカマ部材と、このハカマ部材内に下端部が挿入固定され上部には軸心方向の切り割り溝が形成された筒状の合成樹脂材製の内筒部材と、この内筒部材の切り割り溝の外周を回動可能に覆い内筒部材上端部に形成されたフランジ部によって抜け出し防止に固定されさらに内部に螺旋溝が形成された合成樹脂材製の螺旋部材と、この螺旋部材の外周を覆う金属材製の外筒部材と、前記内筒部材内に上下移動可能に形成された合成樹脂材製の皿部材と、この皿部材に形成された前記内筒部材の切り割り溝及び前記螺旋部材の螺旋溝と係合する係合ピンとから構成される口紅等の収納容器において、螺旋部材の外面に軸心方向に形成された案内溝及びこの案内溝の下端部に形成された係止溝と、この案内溝を通過して係止溝係止することによって螺旋部材と外筒部材を着脱可能とする係止凸部を内面に形成した外筒部材とで構成されているので、外筒部材の内面に形成された係止凸部が螺旋部材の外面に軸心方向に形成された案内溝を通過して案内溝の下端部に形成された係止溝内にはまり込み螺旋部材と外筒部材を回動不能ではあるが着脱可能な係止状態にさせるが、螺旋部材の係止溝内へ外筒部材の係止凸部がはまり込み螺旋部材と外筒部材を係止状態にさせている力よりも強い力で外筒部材を上方へ引っ張ると、螺旋部材の係止溝への外筒部材の係止凸部の係止状態が解除されることによって合成樹脂材製の螺旋部材より金属材製の外筒部材を引き抜くことができる。
したがって、部品を容易に組み付けたり分解することができるので、口紅等を充填した後にでも外筒部材を抜き取り、新しい口紅等を容易に充填しなおすことができるとともに、部品を全廃棄処分する必要がなく、経済的に使用することができる。
【００１８】
（２）前記（１）によって、材質別の部品に分解することができるので、容器の廃棄処分をする際にはリサイクル可能な材質ごとに分別することにより、部品を再利用することができる。
【００１９】
（３）前記（１）によって、構造が簡単で部品点数を増加させることなく、コスト高となることもなく容器を製造することができる。
【００２０】
（４）請求項２にも前記（１）〜（２）と同様の効果が得られる。
【図面の簡単な説明】
【図１】  発明の第１の実施の形態の断面図である。（実施例１）
【図２】  発明の第１の実施の形態のキャップを外した状態の断面図である。（実施例１）
【図３】  発明の第１の実施の形態の外筒部材を上方へ引っ張った状態の断面図である。（実施例１）
【図４】  発明の第１の実施の形態の各部品の斜視図である。（実施例１）
【図５】  発明の第２の実施の形態の螺旋部材と外筒部材の係止状態の断面図である。（実施例２）
【図６】  発明の第２の実施の形態の螺旋部材と外筒部材の係止解除状態の断面図である。（実施例２）
【図７】  発明の第２の実施の形態の各部品の斜視図である。（実施例２）
【符号の説明】
１、１Ａ  口紅等の収納容器
２    キャップ嵌合部
３    ハカマ部材
４    内筒部材
５    切り割り溝
６、６Ａ  螺旋部材
７    螺旋溝
８    外筒部材
９    皿部材
１０  係合ピン
１１  キャップ
１２  口紅
１３  案内溝
１４  係止溝
１５  係止凸部
１６  フランジ部
【図１】
0004678928.tif 000002
【図２】
0004678928.tif 000003
【図３】
0004678928.tif 000004
【図４】
0004678928.tif 000005
【図５】
0004678928.tif 000006
【図６】
0004678928.tif 000007
【図７】
0004678928.tif 000008